(57)【要約】【課題】排気用ファンのお手入れ頻度を抑えつつ、運転時の消費電力を低減させたレンジフードを提供することを目的とする。【解決手段】吸込口および排気口を有するフード本体と、フード本体に内蔵された送風機と、送風機の風量を制御する制御部と、を備え、送風機の軸方向は水平方向であり、送風機の吐出口から吹き出される空気は、鉛直方向上方に向かって吹き出されて排気口から排気され、制御部は、通常運転モードと、油飛散運転モードと、を有し、通常運転モードでは、吸込口から吸い込んだ油煙を排気口から排気し、油飛散運転モードでは、通常運転モードより大きい回転数で送風機を運転するレンジフード。【選択図】図５
2020046149.tif 000002
【特許請求の範囲】
【請求項１】
吸込口および排気口を有するフード本体と、
前記フード本体に内蔵された送風機と、
前記送風機の風量を制御する制御部と、を備え、
前記送風機の軸方向は水平方向であり、
前記送風機の吐出口から吹き出される空気は、鉛直方向上方に向かって吹き出されて前記排気口から排気され、
前記制御部は、通常運転モードと、油飛散運転モードと、を有し、
前記通常運転モードでは、前記吸込口から吸い込んだ油煙を前記排気口から排気し、
前記油飛散運転モードでは、前記通常運転モードより大きい回転数で前記送風機を運転することを特徴とするレンジフード。
【請求項２】
前記通常運転モード終了後に前記油飛散運転モードに移行することを特徴とする請求項１に記載のレンジフード。
【請求項３】
前記吸込口から吸い込まれた油煙に含まれる油を捕集する油捕集機構部を備え、
前記送風機は、油抜き穴を有するケーシングに内包され、
前記吸込口から吸い込まれた油煙に含まれる油は、前記ケーシングの内壁に付着した後、前記油抜き穴を通って前記油捕集機構部に回収されることを特徴とする請求項１または２に記載のレンジフード。
【発明の詳細な説明】
【技術分野】
【０００１】
本発明は、ガスコンロ、電磁調理器等の厨房器具の上方に設けられ、調理時に発生する煙や熱気等を捕集して屋外に排出するレンジフードのファン及び排気経路構成に関するものである。
【背景技術】
【０００２】
従来、レンジフードのファンへの油埃汚れ付着量の低減及びお手入れ頻度削減方法として、排気用のファンの上流に円盤形に形成した回転自在のフィルターを設けて排気ガス中の油埃を捕集するとともに、排気運転中に円盤形フィルターを高速回転させることで捕集した油埃を油分捕集部材に捕集するレンジフードが知られている（例えば、特許文献１参照）。以下、そのレンジフードについて図８を参照しながら説明する。
【０００３】
図８に示すように、排気用のファン１０５と、ファン１０５の上流に円盤形のフィルター１１０およびフィルターを高速回転駆動させるモータ１１１とを有し、排気運転中に円盤形フィルター１１０を高速回転させることにより、ファンへの油埃汚れの付着量を低減するとともにフィルターの目詰まりを防止することができる。
【先行技術文献】
【特許文献】
【０００４】
【特許文献１】特開２０１８−４０５６５号公報
【発明の概要】
【発明が解決しようとする課題】
【０００５】
このような従来のレンジフードにおいては、排気用ファンのモータに加えて円盤形のフィルターを高速回転させるモータも電力を消費するために、運転時の消費電力が大きいという課題およびフィルターの高速回転により騒音が発生するという課題を有している。
【０００６】
そこで本発明は上記従来の課題を解決するものであり、静音化かつ消費電力を抑えたレンジフードを提供することを目的とする。
【課題を解決するための手段】
【０００７】
そして、この目的を達成するために、本発明の一態様に係るレンジフードは、吸込口および排気口を有するフード本体と、前記フード本体に内蔵された送風機と、前記送風機の風量を制御する制御部と、を備え、前記送風機の軸方向は水平方向であり、前記送風機の吐出口から吹き出される空気は、鉛直方向上方に向かって吹き出されて前記排気口から排気され、前記制御部は、通常運転モードと、油飛散運転モードと、を有し、前記通常運転モードでは、前記吸込口から吸い込んだ油煙を前記排気口から排気し、前記油飛散運転モードでは、前記通常運転モードより大きい回転数で前記送風機を運転することとしたものであり、これにより所期の目的を達成するものである。
【発明の効果】
【０００８】
本発明によれば、油飛散運転によって一度ファンに付着した油埃汚れを吹き飛ばすことで排気ファンの油埃汚れ付着量を低減できる。また、円盤形フィルターなどを高速回転することが不要となるので、運転時の消費電力を抑えたレンジフードを提供できる。
【図面の簡単な説明】
【０００９】
【図１】本発明の実施の形態１に係るレンジフードの外観斜視図
【図２】同レンジフードの分解斜視図
【図３】同レンジフードの正面視による断面図
【図４】同レンジフードの正面視による詳細断面図
【図５】同レンジフードの側面視による断面図
【図６】同レンジフードの油飛散運転制御のブロック図
【図７】送風機の静圧―風量特性曲線のイメージ図
【図８】従来技術を示す側面断面図
【発明を実施するための形態】
【００１０】
本発明の一態様に係るレンジフードは、吸込口および排気口を有するフード本体と、フード本体に内蔵された送風機と、送風機の風量を制御する制御部と、を備え、送風機の軸方向は、水平方向であり、送風機の吐出口から吹き出される空気は、鉛直方向上方に向かって吹き出されて排気口から排気され、制御部は、通常運転モードと、油飛散運転モードと、を有し、通常運転モードは、吸込口から吸い込んだ油煙を排気口から排気するモードであり、油飛散運転モードは、通常運転モードより高い（大きい）回転数で送風機を運転するモードである。これにより、油飛散運転モードにおいて送風機を高速回転させることで、送風機に付着した油等の汚れを吹き飛ばし、お手入れ性が向上するという効果を奏する。また、ファンの回転軸を水平方向にして上向きに吹き出す（ファンを縦向きに設置する）構成とすることで、ファンと油捕集機構部との距離を大きくとることができるので、騒音が小さくなるという効果を奏する。
【００１１】
また、通常運転モード終了後に油飛散運転モードに移行するという構成であってもよい。これにより、通常運転モードにおいて付着した油等の汚れを、運転の都度吹き飛ばし、送風機に汚れがたまりにくくなるという効果を奏する。
【００１２】
また、吸込口から吸い込まれた油煙に含まれる油を捕集する油捕集機構部を備え、油抜き穴を有するケーシングは、送風機を内包し、吸込口から吸い込まれた油煙に含まれる油は、ケーシングの内壁に付着した後、油抜き穴を通って油捕集機構部に回収されるという構成であってもよい。これにより、油飛散運転モードで吹き飛ばされた油を効率的に油捕集機構部にて回収することができるという効果を奏する。
【００１３】
以下、本発明の実施の形態について図面を参照しながら説明する。
【００１４】
（実施の形態１）
本発明の一態様に係るレンジフードは、ガスコンロやＩＨコンロ等の厨房器具（図示せず）の上方に設けられる。レンジフードは、フード本体１と、整流板４と、油捕集機構部９と、制御部（図示せず）と、を有する。
【００１５】
フード本体１は、汚染された空気を吸込む吸込口２と、排気装置３（ダクトカバー）と、を有する。排気装置３は、ファン５と、ファンモータ１１と、ケーシング６と、を有する。ファン５は、フード本体１の内部に設けられ、吸込口２から吸込まれた空気を排気する。ファン５は、鉛直方向上方に向かって吹き出すように吐出口が設けられる。ファン５の回転軸方向は水平方向である。なお、ここでいう「水平」とは完全な水平のみならず、水平から１０度ほど傾けたものも含むものとする（図５（ｂ）参照）。このように、ファン５を水平方向から前方に傾かせることでファン５をお手入れする際の脱着性が向上する。
【００１６】
ケーシング６はファン５を内包する。ケーシング６は、後述する油飛散運転により吹き飛ばされた油汚れが油捕集機構部９まで流れ落ちる連続した壁面と底部の油抜き穴１０とを有する。油抜き穴１０は、ケーシング６下部のたとえば中央であって油捕集機構部９の上方に設けられる。ケーシング６の壁面に付着した油汚れは図４における矢印Ａに示すように、ケーシング６の壁面を伝って下部にある油抜き穴１０へ導かれる。そして油抜き穴１０から油捕集機構部９に滴下する。このように、ケーシング６壁面を流れ落ちる面を曲面で構成することにより効率良く油埃汚れを油捕集機構部９へ集めることができる。すなわち、後述する油飛散運転により吹き飛ばした油埃汚れがケーシング６壁面を伝って下方へ流れ落ち、効率的に油捕集機構部９に集めることができる。またケーシング６に設けた油抜き穴１０から油捕集機構部９に直接油が流れ落ちるために、油を捕集する過程で汚染される構成部材を最小限に抑えたお手入れしやすいレンジフードを提供できる。
【００１７】
ファンモータ１１の運転によりファン５は回転する。
【００１８】
油捕集機構部９は、フード本体１に取り付けられる。油捕集機構部９は、ケーシング６の下方に設けられる。油捕集機構部９はたとえば箱型形状であって、内部に油汚れを含んだ空気が流入し、油捕集機構部９の内壁に接触することで、油を回収する構成であってもよい。
【００１９】
整流板４は、例えば方形状で、吸込口２に取り付けられる。整流板４の周囲から吸込口２へと空気が流入する。
【００２０】
排気装置３の天面には屋外と連通したダクト等を介して連通する排気口１２を設ける。
【００２１】
フード本体１および排気装置３の内部に、ファン５を介し吸込口２と排気口１２を結ぶ通風路を形成する。
【００２２】
油捕集機構部９は、例えば金属製であって、ファン５と吸込口２との間に設けられ、厨房器具から発生する油煙や周囲に浮遊する埃等を捕集する。
【００２３】
制御部は、通常運転モードと、油飛散運転モードと、を有する。
【００２４】
通常運転モードは、ファン５の運転により、吸込口２から汚染された空気を吸い込み、排気口１２から排気するモードである。通常運転モードにおいてはファン５の回転数が異なる「弱・中・強」のいずれか１つの運転を使用者が選ぶことができる構成であってもよい。このとき例えば、弱、中、強の順にファンの回転数が大きくなる運転である。
【００２５】
また、通常運転モードにおいて残置運転を行うという構成であってもよい。ここで、残置運転とは、「切」信号すなわちファン停止信号を受信してから、ファン５を一定時間運転させた後にファン５を停止する運転をいう。
【００２６】
油飛散運転モードは、ファン５を通常運転モード終了ごとに高速回転することで油埃汚れを吹き飛ばすモードである。油飛散運転モードでのファン５の回転数は例えば、１２００ｒ／ｍｉｎである。油飛散運転モードでのファン５の回転数は通常運転モード時、特に、残置運転時の回転数より大きい回転数である。
【００２７】
ここで、図６を用いて、通常運転モードおよび油飛散運転モードについて説明する。
【００２８】
運転開始後、制御部は、通常運転モードで運転中であるかを検知する。通常運転モードではない場合（例えば、油飛散運転モードで運転している場合）には、「切」信号を受信した後、残置運転を行わずに運転を終了する。
【００２９】
「弱・中・強」のいずれかの通常運転モードにて運転をしている場合、制御部は、通常運転モードで一定時間運転しているかを検知する。一定時間運転をしていない場合には、「切」信号を受信した後、残置運転を行わずにファン５を停止し、運転を終了する。通常運転モードにて一定時間を超えて運転した後に「切」信号を受信した場合、残置運転を実施する。そして、残置運転実施後に、通常運転モードから油飛散運転モードに移行する。そして、油飛散運転モードにおいて、ファン５を通常運転モードより大きい（高い）、または通常運転モードの最大回転数にて数秒間高速回転させる油飛散運転を実施する。油飛散運転終了後にファン５を停止させ、運転を終了する。
【００３０】
なお、「切」信号は、レンジフードの制御部からのファン停止信号でも、連動する調理機器からのファン停止信号であってもよい。
【００３１】
以上の構成により、通常運転モードにおいて付着した油等の汚れを、運転の都度吹き飛ばすことで、送風機に汚れがたまりにくくなり、使用者のお手入れ性が向上する。また、本構成であれば円盤形のフィルターを高速回転するモータを別途搭載する必要がないため、運転消費電力を抑えたレンジフードを提供することができる。
【００３２】
また、図５に示すように、ファン５を上方向に吹き出すように（縦向きに）設置することで、油捕集機構部９とファン５との距離が大きくなる。このように、油捕集機構部９とファン５を離して配置することで通風抵抗が下がり、騒音低下の効果を奏する。
【００３３】
ここで、図７を用いて、通風抵抗低下と騒音低下の関係について説明する。
【００３４】
ある運転状態において、送風機の「静圧―風量特性」と通風抵抗との交点Ａで使用している。ここで通風抵抗が下がると、静圧―風量特性に沿って使用点が交点Ｂに移動するが、風量を一定に保つ制御により使用点がＣに移動する。使用点ＣはＡに比べて低い回転数での運転であるため、騒音低下の効果を奏する。
【００３５】
このように、本実施の形態に係るレンジフードでは、ファンとフィルターとの距離が大きくなることで、通風抵抗が下がり、静音化を実現することができる。
【００３６】
以上、本発明に係るレンジフードについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００３７】
本発明に係るレンジフードは、送風機への油汚れの付着を低減するものであるので、台所の壁面に設置するキャビネット等にも有用である。
【符号の説明】
【００３８】
１    フード本体
２    吸込口
３    排気装置
４    整流板
５    ファン
６    ケーシング
９    油捕集機構部
１０    油抜き穴
１１    ファンモータ
１２    排気口
【図１】
2020046149.tif 000003
【図２】
2020046149.tif 000004
【図３】
2020046149.tif 000005
【図４】
2020046149.tif 000006
【図５】
2020046149.tif 000007
【図６】
2020046149.tif 000008
【図７】
2020046149.tif 000009
【図８】
2020046149.tif 000010